(57)【要約】【課題】水質の測定精度を長期間にわたって良好に維持できる水質測定装置を提供する。【解決手段】被測定液Ｗの水面ＷＳに浮かぶフロート部１４と、フロート部１４に接続される本体部１２と、本体部１２に支持されて、被測定液Ｗの水質を測定するセンサ部１３と、を備え、センサ部１３は、水面ＷＳよりも上方に配置されて、水面ＷＳに対向する。【選択図】図１
2020034351.tif 000002
【特許請求の範囲】
【請求項１】
被測定液の水面に浮かぶフロート部と、
前記フロート部に接続される本体部と、
前記本体部に支持されて、前記被測定液の水質を測定するセンサ部と、を備え、
前記センサ部は、前記水面よりも上方に配置されて、前記水面に対向する、水質測定装置。
【請求項２】
請求項１に記載の水質測定装置であって、
前記本体部は、前記センサ部を上方部分に収容し、前記被測定液を下方部分に浸入させる筒部を有する、水質測定装置。
【請求項３】
請求項２に記載の水質測定装置であって、
前記筒部は、
前記被測定液を内部空間に導入させる窓孔と、
前記窓孔を覆う網部と、を有する、水質測定装置。
【請求項４】
請求項２または３に記載の水質測定装置であって、
前記筒部の中心軸は、鉛直軸に対して傾斜して配置され、
前記センサ部は、前記中心軸に沿って測定光を投光および受光する、水質測定装置。
【請求項５】
請求項１〜４のいずれか一項に記載の水質測定装置であって、
上下方向に延び、前記本体部を上下方向に移動可能に支持する支持部を備える、水質測定装置。
【請求項６】
請求項５に記載の水質測定装置であって、
前記支持部は、互いに並行して延びる一対の支持棒を有する、水質測定装置。
【請求項７】
請求項６に記載の水質測定装置であって、
前記本体部は、前記支持棒の外周面を転がる車輪を有する、水質測定装置。
【請求項８】
請求項７に記載の水質測定装置であって、
前記本体部は、前記車輪を複数有し、
複数の前記車輪は、前記支持棒の周方向において互いに間隔をあけて配置される、水質測定装置。
【請求項９】
請求項７または８に記載の水質測定装置であって、
前記本体部は、前記車輪を複数有し、
複数の前記車輪は、上下方向に互いに離れて配置される、水質測定装置。
【請求項１０】
請求項６〜９のいずれか一項に記載の水質測定装置であって、
前記支持部は、前記支持棒を水平方向に移動可能に保持する棒保持部を有する、水質測定装置。
【請求項１１】
請求項１０に記載の水質測定装置であって、
前記支持棒は、丸パイプであり、
前記棒保持部は、前記丸パイプの内径よりも細く、前記丸パイプの開口端に挿入される保持ピンを有する、水質測定装置。
【発明の詳細な説明】
【技術分野】
【０００１】
本発明は、水質測定装置に関する。
【背景技術】
【０００２】
従来、例えば特許文献１の水質測定装置が知られる。この水質測定装置は、センサと、フロートと、を備える。センサは、フロートに内蔵される。センサは、被測定液に浸水されて、水質を測定する。
【先行技術文献】
【特許文献】
【０００３】
【特許文献１】特開２００３−１６６９８６号公報
【発明の概要】
【発明が解決しようとする課題】
【０００４】
従来の水質測定装置では、水質を測定するセンサが水に浸される。時間経過とともに、センサには汚れが付着する。このため、水質の測定精度を長期間にわたって良好に維持することが難しかった。
【０００５】
本発明は、上記事情に鑑み、水質の測定精度を長期間にわたって良好に維持できる水質測定装置を提供することを目的の一つとする。
【課題を解決するための手段】
【０００６】
本発明の水質測定装置の一つの態様は、被測定液の水面に浮かぶフロート部と、前記フロート部に接続される本体部と、前記本体部に支持されて、前記被測定液の水質を測定するセンサ部と、を備え、前記センサ部は、前記水面よりも上方に配置されて、前記水面に対向する。
【０００７】
本発明の一つの態様では、水質測定装置は、例えば工場等の施設の排水溝に設けられて、排水等の被測定液の水質を測定する。被測定液の水面（水位）は、施設から排出される被測定液の水量等により上下に変動する。水質測定装置は、フロート部を備えるため、センサ部を支持する本体部を、水面の上下の変動に追従させることができる。そして、センサ部は、被測定液の水面よりも常に上方に配置されて、水面に対向する。これにより、センサ部が、被測定液の水中や水面に浮遊するゴミや油分等に汚されることが抑えられて、水質の測定精度が長期間にわたり良好に維持される。
【０００８】
上記水質測定装置において、前記本体部は、前記センサ部を上方部分に収容し、前記被測定液を下方部分に浸入させる筒部を有することが好ましい。
【０００９】
この場合、水質測定装置を屋外の排水溝等に設置した場合であっても、センサ部が風雨等に晒されることを抑制できる。したがって、水質の測定精度を安定して高めることができる。
【００１０】
上記水質測定装置において、前記筒部は、前記被測定液を内部空間に導入させる窓孔と、前記窓孔を覆う網部と、を有することが好ましい。
【００１１】
この場合、被測定液を筒部の内部空間に導入するときに、窓孔からのゴミ等の進入を網部により抑制できる。したがって、水質の測定精度を良好に維持できる。
【００１２】
上記水質測定装置において、前記筒部の中心軸は、鉛直軸に対して傾斜して配置され、前記センサ部は、前記中心軸に沿って測定光を投光および受光することが好ましい。
【００１３】
この場合、センサ部の投光部から投光した測定光を水面で反射させて、受光部で受光させやすくすることができる。したがって、水質の測定精度が安定する。
【００１４】
上記水質測定装置において、上下方向に延び、前記本体部を上下方向に移動可能に支持する支持部を備えることが好ましい。
【００１５】
この場合、被測定液の水面の位置（水位）が上下に変化した場合であっても、フロート部とともに本体部を、支持部に沿って水面に追従させることができる。したがって、水位に係わらず、水質測定を良好に行い継続することができる。
【００１６】
上記水質測定装置において、前記支持部は、互いに並行して延びる一対の支持棒を有することが好ましい。
【００１７】
この場合、本体部が支持部を中心にして回転することを抑えられる。これにより、例えばセンサ部の配線ケーブルの絡まり等を抑制でき、配線ケーブルの敷設が容易になる。また、水質測定の精度が安定する。
【００１８】
上記水質測定装置において、前記本体部は、前記支持棒の外周面を転がる車輪を有することが好ましい。
【００１９】
この場合、本体部が支持棒に沿って円滑に上下方向に移動できるので、被測定液の水面の上下の位置（水位）が変化したときに、本体部を水面に円滑に追従させることができる。
【００２０】
上記水質測定装置において、前記本体部は、前記車輪を複数有し、複数の前記車輪は、前記支持棒の周方向において互いに間隔をあけて配置されることが好ましい。
【００２１】
この場合、支持棒に対する本体部の上下方向への移動が、例えば被測定液の水流の向きに係わらず、安定させられる。そして本体部が、支持棒に沿って円滑に上下移動できる。
【００２２】
上記水質測定装置において、前記本体部は、前記車輪を複数有し、複数の前記車輪は、上下方向に互いに離れて配置されることが好ましい。
【００２３】
この場合、支持棒に対する本体部の姿勢が一定に保たれる。すなわち、支持棒に対して本体部が揺動するようなことが抑制される。これにより、本体部が支持棒に沿って円滑に上下移動できる。そして、水質の測定精度が良好に維持される。
【００２４】
上記水質測定装置において、前記支持部は、前記支持棒を水平方向に移動可能に保持する棒保持部を有することが好ましい。
【００２５】
この場合、本体部が上下方向に移動するときに、２本の支持棒は、本体部の車輪に押圧されて水平方向に移動できる。２本の支持棒は、車輪からの押圧力を低減させるように、つまり本体部が上下移動しやすくなるように、水平方向に僅かに移動させられる。これにより、本体部は、２本の支持棒に沿って円滑に上下に移動することができる。
【００２６】
上記水質測定装置において、前記支持棒は、丸パイプであり、前記棒保持部は、前記丸パイプの内径よりも細く、前記丸パイプの開口端に挿入される保持ピンを有することが好ましい。
【００２７】
この場合、簡単な構造により、コスト上昇を招くことなく、容易かつ確実に丸パイプを水平方向に微動可能に保持できる。
【発明の効果】
【００２８】
本発明の一つの態様の水質測定装置によれば、水質の測定精度を長期間にわたって良好に維持できる。
【図面の簡単な説明】
【００２９】
【図１】本実施形態の水質測定装置を示す正面図である。
【図２】本実施形態の水質測定装置を示す上面図である。
【図３】図１のIII部を拡大して示す図である。
【図４】図２のIV部を拡大して示す図である。
【図５】図１のV部を拡大して示す図である。
【発明を実施するための形態】
【００３０】
以下、本発明の一実施形態の水質測定装置１０について、図面を参照して説明する。
本実施形態の水質測定装置１０は、例えば２ピース缶用の缶胴を製造する工場等の施設の排水溝１００に設けられる。缶胴の内面および外面には、塗料が塗装される。
【００３１】
水質測定装置１０は、排水溝１００の側壁１０１に設けられて、施設から排出される排水（被測定液）Ｗの水質を測定する。水質測定装置１０は、例えば屋外の排水溝１００に設置される。水質測定装置１０は、例えば排水Ｗに含まれる塗料の割合等を検出する。
【００３２】
図１および図２に示すように、水質測定装置１０は、排水溝１００の側壁１０１に取り付けられる。水質測定装置１０は、その一部が排水溝１００を流れる排水Ｗに浸漬される。なお、図１は、排水Ｗの水位（水面ＷＳ）が最も高いときと、水位が最も低いときを併せて図示している。この水質測定装置１０は、排水Ｗの水位の上限と下限との差が、例えば１ｍを超える場合であっても、各水位において安定して水質を検出できる。
【００３３】
本実施形態では、水質測定装置１０（後述する支持棒５１）が延びる方向を高さ方向または上下方向（Ｚ方向）と呼ぶ。高さ方向は、略鉛直方向である。高さ方向の上側を単に上側（または上方）、高さ方向の下側を単に下側（または下方）と呼ぶ。
【００３４】
水平方向のうち、側壁１０１に沿う方向を前後方向（Ｘ方向）と呼ぶ。前後方向は、排水Ｗが流れる方向である。本実施形態において前後方向は、上下方向と直交する方向である。排水Ｗの流れの下流側を前側、上流側を後側と呼ぶ。図１〜図５において、排水Ｗは、例えば紙面の左側から右側に流れる。
【００３５】
高さ方向と前後方向に直交する方向を幅方向（Ｙ方向）と呼ぶ。幅方向は、水平方向のうち、前後方向と直交する方向である。幅方向は、排水溝１００の幅方向である。幅方向のうち、側壁１０１に近づく方向を基端側、側壁１０１から離れる方向を先端側と呼ぶ。また、幅方向のうち、後述するセンサ部１３に近づく方向を幅方向の内側、センサ部１３から離れる方向を幅方向の外側と呼ぶ。
【００３６】
上述した高さ方向（上側、下側）、前後方向（前側、後側）および幅方向（基端側、先端側、内側、外側）は、単に各部の相対位置関係を説明するための名称であり、実際の配置関係等は、これらの名称で示される配置関係等に限定されない。
【００３７】
水質測定装置１０は、本体部１２と、センサ部１３と、フロート部１４と、支持部１５と、を備える。
本体部１２は、排水Ｗの水質を測定するセンサ部１３を支持する。フロート部１４は、本体部１２に連結して、本体部１２を排水Ｗの水面ＷＳに浮かべる。支持部１５は、上下方向に延び、本体部１２を上下方向に移動可能に支持する。
【００３８】
本体部１２は、センサ部１３を収容して保持しながら、排水Ｗの水面ＷＳに浮かべられる部材である。図３に示すように、本体部１２は、センサ部１３を収容する円筒形状の筒部２１を有する。筒部２１には、天面キャップ２２と底面キャップ２３とが取り付けられる。
【００３９】
天面キャップ２２の内側には、センサ部１３が固定される。天面キャップ２２で筒部２１の上端開口を塞ぐことにより、センサ部１３が筒部２１の内部空間に配置される。つまり、センサ部１３は、筒部２１の上方部分２１ａに収容される。
底面キャップ２３は、筒部２１の下端開口を塞ぐ。
本実施形態の例では、少なくとも筒部２１の内面（底面キャップ２３の内面および天面キャップ２２の内面を含む）が、青色に着色される。筒部２１の内面が青色であることにより、センサ部１３による排水Ｗの水質検査の感度が安定する。
【００４０】
筒部２１の中心軸Ｃは、鉛直軸（鉛直方向）に対して傾斜して配置される。筒部２１の中心軸Ｃは、鉛直軸に対して、例えば１５°傾斜させられて延びる。筒部２１は、上方部分２１ａが水面ＷＳから突出し、下方部分２１ｂが排水Ｗに浸される。筒部２１の下方部分２１ｂは、内部に排水Ｗが浸入する。
【００４１】
筒部２１は、窓孔２４と、網部２５と、を有する。
窓孔２４は、排水Ｗを筒部２１の内部空間に導入させる。窓孔２４は、筒部２１の中心軸Ｃ方向に沿って延びる。本実施形態の例では、窓孔２４は長円形状である。窓孔２４は、筒部２１の周壁に、周方向に互いに間隔をあけて複数（例えば４つ）設けられる。窓孔２４は、上側部分が水面ＷＳから露出し、下側部分が排水Ｗに沈められる。これにより、複数の窓孔２４を通して、筒部２１の内部空間に排水Ｗが出入りする。
網部２５は、窓孔２４に張られる。網部２５は、例えば金網等であり、窓孔２４を覆う。網部２５は、窓孔２４の開口全体を覆う。網部２５は、筒部２１の内部空間に窓孔２４から排水Ｗを導入するときに、ゴミ等の進入を防止する。
【００４２】
図３および図４に示すように、本体部１２は、複数の車輪２６を有する。車輪２６は、筒部２１の幅方向の外側（基端側および先端側）に、それぞれ複数配置される。
車輪２６については、別途後述する。
【００４３】
センサ部１３は、筒部２１の内部空間に配置されて、筒部２１の内部空間に浸入した排水Ｗの水質を測定する。センサ部１３は、水面ＷＳよりも上方に配置されて、水面ＷＳに対向する。
【００４４】
センサ部１３は、例えば、アンプを内蔵する反射型の光電センサ（光センサ）である。光電センサは、排水Ｗに向けて例えば白色光（測定光）を投光し、排水Ｗからの反射光（測定光）を受光する。光電センサは、筒部２１の中心軸Ｃ方向に沿って測定光を投受光する。つまり、センサ部１３は、筒部２１の中心軸Ｃ方向に沿って測定光を投光および受光する。
【００４５】
図３に示すように、センサ部１３は、投光部１３ａと、受光部１３ｂと、増幅部１３ｃと、を有する。
投光部１３ａは、発光素子を有する。発光素子は、例えば白色ＬＥＤ素子等である。
受光部１３ｂは、受光素子を有する。投光部１３ａと受光部１３ｂとは、筒部２１の中心軸Ｃおよび鉛直軸を含む仮想平面（図示省略）内において、略水平方向（本実施形態の例では前後方向）に並んで配置される。
増幅部１３ｃは、増幅回路を有する。
そして、センサ部１３は、例えば排水Ｗの色、透視度および濁度等を検出することにより、排水Ｗの水質を測定する。
【００４６】
図１および図２に示すように、フロート部１４は、排水Ｗの水面ＷＳに浮かぶ。フロート部１４は、本体部１２と接続される。本実施形態の例では、フロート部１４が複数（例えば２つ）設けられ、本体部１２に対して前後方向の両側に接続される。フロート部１４は、筒部２１の前側と後側にそれぞれ配置される。前側のフロート部１４と後側のフロート部１４は、筒部２１を挟んで互いに対称位置に配置される。
【００４７】
フロート部１４は、フロート本体４１と、フロート本体４１を支持するフロート支持部４２と、を有する。
フロート本体４１は、例えば樹脂製等であり、排水Ｗよりも比重が小さい。フロート本体４１は、例えば発砲スチロール等の発泡樹脂製である。フロート本体４１は、例えば樹脂製の外殻を有する中空構造体や、木製等であってもよい。本実施形態の例では、フロート本体４１が、樽形状またはラグビーボール形状である。フロート本体４１は、幅方向に延びる。フロート本体４１は、フロート本体４１を幅方向に貫通する中心孔４１ｈを有する。
【００４８】
フロート支持部４２は、フロート本体４１に連結される。フロート支持部４２は、幅方向に延びるシャフト４３を有し、シャフト４３はフロート本体４１に通される。シャフト４３は、フロート本体４１の中心孔４１ｈに挿通されて、フロート本体４１の幅方向の両端から突出する。
フロート支持部４２は、フロート本体４１と本体部１２とを接続する。
【００４９】
支持部１５は、排水溝１００の側壁１０１に取り付けられて、本体部１２を支持する。支持部１５に対して本体部１２は、排水Ｗの水位（水面ＷＳ）に応じて、高さ方向に移動自在に支持される。
【００５０】
支持部１５は、支持棒５１と、支持棒５１を保持する棒保持部５５と、を有する。
支持部１５は、互いに並行して延びる一対の支持棒５１を有する。一対の支持棒５１は、互いに水平方向に離れて配置され、互いに略平行に延びる。本実施形態の例では、一対の支持棒５１が、互いに幅方向に離れて配置されて、それぞれ上下方向に延びる。本実施形態において支持棒５１は、丸パイプである。２本の丸パイプ（支持棒５１）は、筒部２１を挟んで幅方向の両外側（基端側および先端側）に配置される。
【００５１】
支持部１５は、側壁１０１に上下に離れて配置される一対の棒保持部５５を有する。一対の棒保持部５５は、側壁１０１の上部と下部にそれぞれ固定される。一対の棒保持部５５は、側壁１０１から幅方向の先端側に向けてそれぞれ延びて、２本の丸パイプの上端と下端を挟持する。
【００５２】
図５に示すように、棒保持部５５は、丸パイプ（支持棒５１）の開口端に挿入されて、丸パイプを保持する保持ピン５６を有する。上側の棒保持部５５の保持ピン５６は、丸パイプの上端開口に上側から挿入される。下側の棒保持部５５の保持ピン５６は、丸パイプの下端開口に下側から挿入される。
【００５３】
保持ピン５６は、丸パイプの内径よりも細い直径（外径）を有する。このため、水平方向において、丸パイプの内周面と保持ピン５６の外周面との間には、径方向の隙間Ｇが形成される。丸パイプと保持ピン５６とは、隙間Ｇの範囲で、水平方向に相対移動可能である。つまり、棒保持部５５は、支持棒５１を水平方向に移動可能に保持する。
【００５４】
本体部１２の説明に戻る。
上述したように、本体部１２は、筒部２１の幅方向の外側に複数の車輪２６を有する。車輪２６は、支持棒５１の外周面を転がる。車輪２６は、支持棒５１の外周面上を、高さ方向に転がる。
【００５５】
図３および図４に示すように、複数の車輪２６は、支持棒５１の周方向において互いに間隔をあけて配置される。具体的には、４つの車輪２６が、支持棒５１の周方向において等間隔（９０°間隔）に配置される。また、複数の車輪２６は、上下方向に互いに離れて配置される。具体的には、支持棒５１の外周に周方向均等に配列する４つの車輪２６の組が、上下方向に互いに間隔をあけて、２組配置される。このため、本実施形態では、本体部１２が、合計１６個の車輪２６を有する。
車輪２６と支持棒５１の外周面との間には、僅かに隙間が設けられる。この隙間は、丸パイプ（支持棒５１）と保持ピン５６との間の隙間Ｇよりも、小さく設定される。
【００５６】
以上説明した本実施形態の水質測定装置１０は、フロート部１４を備えるため、センサ部１３を支持する本体部１２を、水面ＷＳの上下の変動に追従させることができる。そして、センサ部１３は、排水Ｗの水面ＷＳよりも常に上方に配置されて、水面ＷＳに対向する。これにより、センサ部１３が、排水Ｗの水中や水面ＷＳに浮遊するゴミや油分等に汚されることが抑えられて、水質の測定精度が長期間にわたり良好に維持される。
【００５７】
本実施形態では、本体部１２が、センサ部１３を上方部分２１ａに収容し、排水Ｗを下方部分２１ｂに浸入させる筒部２１を有する。
このため、水質測定装置１０を屋外の排水溝１００等に設置した場合であっても、センサ部１３が風雨等に晒されることを抑制できる。したがって、水質の測定精度を安定して高めることができる。
【００５８】
本実施形態では、筒部２１が、排水Ｗを内部空間に導入させる窓孔２４と、窓孔２４を覆う網部２５と、を有する。
このため、排水Ｗを筒部２１の内部空間に導入するときに、窓孔２４からのゴミ等の進入を網部２５により抑制できる。したがって、水質の測定精度を良好に維持できる。
【００５９】
本実施形態では、筒部２１の中心軸Ｃが、高さ方向（鉛直軸）に対して傾斜して配置され、センサ部１３は、中心軸Ｃに沿って測定光を投光および受光する。
このため、センサ部１３の投光部１３ａから投光した測定光を水面ＷＳで反射させて、受光部１３ｂで受光させやすくすることができる。したがって、水質の測定精度が安定する。
【００６０】
本実施形態では水質測定装置１０が、上下方向に延び、本体部１２を上下方向に移動可能に支持する支持部１５を備える。
このため、排水Ｗの水面ＷＳの位置（水位）が上下に変化した場合であっても、フロート部１４とともに本体部１２を、支持部１５に沿って水面ＷＳに追従させることができる。したがって、水位に係わらず、水質測定を良好に行い継続することができる。
【００６１】
本実施形態では、支持部１５が、互いに並行して延びる一対の支持棒５１を有するので、本体部１２が支持部１５を中心にして鉛直軸回りに回転することを抑えられる。これにより、例えばセンサ部１３の配線ケーブルの絡まり等を抑制でき、配線ケーブルの敷設が容易になる。また、水質測定の精度が安定する。
【００６２】
本実施形態では、本体部１２が、支持棒５１の外周面を転がる車輪２６を有するので、本体部１２が支持棒５１に沿って円滑に上下方向に移動できる。これにより、排水Ｗの水面ＷＳの上下の位置（水位）が変化したときに、本体部１２を水面ＷＳに円滑に追従させることができる。
【００６３】
本実施形態では、複数の車輪２６が、支持棒５１の周方向において互いに間隔をあけて配置される。
このため、支持棒５１に対する本体部１２の上下方向への移動が、例えば排水Ｗの水流の向きに係わらず、安定させられる。そして本体部１２が、支持棒５１に沿って円滑に上下移動できる。
【００６４】
本実施形態では、複数の車輪２６が、上下方向に互いに離れて配置されるので、支持棒５１に対する本体部１２の姿勢が一定に保たれる。すなわち、支持棒５１に対して本体部１２が揺動するようなことが抑制される。これにより、本体部１２が支持棒５１に沿って円滑に上下移動できる。そして、水質の測定精度が良好に維持される。
【００６５】
本実施形態では、支持部１５が、支持棒５１を水平方向に移動可能に保持する棒保持部５５を有する。
このため、本体部１２が上下方向に移動するときに、２本の支持棒５１は、本体部１２の車輪２６に押圧されて水平方向に移動できる。２本の支持棒５１は、車輪２６からの押圧力を低減させるように、つまり本体部１２が上下移動しやすくなるように、水平方向に僅かに移動させられる。これにより、本体部１２は、２本の支持棒５１に沿って円滑に上下に移動することができる。
【００６６】
本実施形態では、支持棒５１が丸パイプであり、棒保持部５５は、丸パイプの内径よりも細く、丸パイプの開口端に挿入される保持ピン５６を有する。
このため、簡単な構造により、コスト上昇を招くことなく、容易かつ確実に丸パイプを水平方向に微動可能に保持できる。
【００６７】
本実施形態では、車輪２６と丸パイプ（支持棒５１）との間の隙間が、丸パイプと保持ピン５６との間の隙間Ｇよりも、小さく設定される。
車輪２６と丸パイプとの間の隙間が小さくても、丸パイプと保持ピン５６との間の隙間Ｇが大きいので、棒保持部５５に対して丸パイプが水平方向に移動できて、本体部１２の上下移動がより安定する。言い換えると、隙間Ｇによって、上下に長尺とされた丸パイプの、棒保持部５５への取り付け誤差や作製誤差、曲がり変形等を吸収（緩和）できる。
【００６８】
なお、本発明は前述の実施形態に限定されず、例えば下記に説明するように、本発明の趣旨を逸脱しない範囲において構成の変更等が可能である。
【００６９】
前述の実施形態では、筒部２１が円筒形状であるとしたが、これに限らない。筒部２１は、例えば多角形筒状や箱状等であってもよい。筒部２１は、センサ部１３を上方部分２１ａに収容し、排水Ｗを下方部分２１ｂに浸入させる容器であればよい。
また、筒部２１の中心軸Ｃが、鉛直軸に対して傾斜して配置される代わりに、鉛直軸に沿って配置されてもよい。
【００７０】
前述の実施形態では、支持部１５が、互いに並行して延びる２本の支持棒５１を有する例を挙げて説明したが、これに限らない。支持部１５は、互いに並行して延びる３本以上の支持棒５１を有してもよい。
また、支持棒５１が丸パイプである例を挙げたが、これに限らない。支持棒５１は、例えば角パイプや中実の軸部材等であってもよい。
【００７１】
前述の実施形態では、棒保持部５５が、保持ピン５６を有する例を挙げたが、これに限らない。棒保持部５５は、支持棒５１の外周に隙間をあけて嵌められる筒体を有してもよい。
【００７２】
前述の実施形態では、本体部１２が車輪２６を有する例を挙げたが、車輪２６の代わりに、例えば円柱状のローラー等を有してもよい。
前述の実施形態では、被測定液の一例として、工場等の施設の排水溝１００を流れる排水Ｗを挙げたが、これに限らない。
【００７３】
その他、本発明の趣旨から逸脱しない範囲において、前述の実施形態、変形例およびなお書き等で説明した各構成（構成要素）を組み合わせてもよく、また、構成の付加、省略、置換、その他の変更が可能である。また本発明は、前述した実施形態によって限定されず、特許請求の範囲によってのみ限定される。
【産業上の利用可能性】
【００７４】
本発明の水質測定装置によれば、水質の測定精度が長期間にわたって良好に維持される。したがって、産業上の利用可能性を有する。
【符号の説明】
【００７５】
１０…水質測定装置、１２…本体部、１３…センサ部、１４…フロート部、１５…支持部、２１…筒部、２１ａ…上方部分、２１ｂ…下方部分、２４…窓孔、２５…網部、２６…車輪、５１…支持棒、５５…棒保持部、５６…保持ピン、Ｃ…中心軸、Ｗ…排水（被測定液）、ＷＳ…水面
【図１】
2020034351.tif 000003
【図２】
2020034351.tif 000004
【図３】
2020034351.tif 000005
【図４】
2020034351.tif 000006
【図５】
2020034351.tif 000007